(57)【要約】      （修正有）【課題】仮装性あるいは変身性のある仮面付きカチューシャを提供する。【解決手段】下部と後部とが開放された溝を有する布製頭部被覆体４を備え、その布製頭部被覆体４の後端縁部に沿って、カチューシャ５を布に包んで内蔵させた弾性縁材６が逢着されて、カチューシャ内蔵の仮面体とされ、その布製頭部被覆体４の外表面側には、生き物の似顔が表示されている仮面付きカチューシャ１とした。前記頭部被覆体４は、ほぼ１／４球殻状で、溝外側の外表面側の化粧布と、溝内側の布とを逢着して備え、前記溝は、子供または幼児の前頭部を収容するための溝である。前記の布製頭部被覆体４の外表面には、サル、トラ、ゾウ、パンダ、キリン、ライオン等の動物の似顔が表示されている。【選択図】図１
0003144275.tif 000002
【実用新案登録請求の範囲】
【請求項１】
下部と後部とが開放された溝を有する布製頭部被覆体を備え、その布製頭部被覆体の後端縁部に沿って、カチューシャを布に包んで内蔵させた弾性縁材が逢着されて、カチューシャ内蔵の仮面体とされ、前記布製頭部被覆体の外表面側には、生き物の似顔が表示されていることを特徴とする仮面付きカチューシャ。
【請求項２】
前記頭部被覆体は、ほぼ１／４球殻状で、溝外側の外表面側の化粧布と、溝内側の布とを逢着して備え、前記溝は、子供または幼児の前頭部を収容するための溝であることを特徴とする請求項１に記載の仮面付きカチューシャ。
【請求項３】
前記の布製頭部被覆体の外表面には、サル、トラ、ゾウ、パンダ、キリン、ライオン等の動物の似顔が表示されていることを特徴とする請求項１または２に記載の仮面付きカチューシャ。
【請求項４】
前記の布製頭部被覆体の外表面には、１枚または複数枚の化粧布とこれらの外表面に、刺繍が施されて、目・鼻・口の各部が表示されていることを特徴とする請求項１〜３のいずれかに記載の仮面付きカチューシャ。
【考案の詳細な説明】
【技術分野】
【０００１】
本考案は、後部にカチューシャを備えていると共にその前側に、動物等の生き物の顔面あるいは頭部を誇張して表した布製の仮面とを一体化させた仮面付きカチューシャに関する。
【背景技術】
【０００２】
従来、カチューシャとしては、髪飾り被覆地によりカチューシャと称される髪飾り用の湾曲板を被覆してファッション性のあるカチューシャが知られている（例えば特許文献１参照）。
【特許文献１】特開平０９−２６６８１２号広報
【考案の開示】
【考案が解決しようとする課題】
【０００３】
従来の場合は、カチューシャの域から傑出したものはなく、前記従来技術のようにファッション性のあるものにとまり、仮装性あるいは変身性のあるカチューシャは知られていない。
本考案は、仮装性あるいは変身性のある仮面付きカチューシャを提供することを目的とする。
【課題を解決するための手段】
【０００４】
第１考案の仮面付きカチューシャにおいては、下部と後部とが開放された溝を有する布製頭部被覆体を備え、その布製頭部被覆体の後端縁部に沿って、カチューシャを布に包んで内蔵させた弾性縁材が逢着されて、カチューシャ内蔵の仮面体とされ、前記布製頭部被覆体の外表面側には、生き物の似顔が表示されていることを特徴とする。
また、第２考案では、第１考案の仮面付きカチューシャにおいて、前記頭部被覆体は、ほぼ１／４球殻状で、溝外側の外表面側の化粧布と、溝内側の布とを逢着して備え、前記溝は、子供または幼児の前頭部を収容するための溝であることを特徴とする。
第３考案では、第１または第２考案の仮面付きカチューシャにおいて、前記の布製頭部被覆体の外表面には、サル、トラ、ゾウ、パンダ、キリン、ライオン等の動物の似顔が表示されていることを特徴とする。
第４考案では、第１考案〜第３考案のいずれかの仮面付きカチューシャにおいて、前記の布製頭部被覆体の外表面には、１枚または複数枚の化粧布とこれらの外表面に、刺繍が施されて、目・鼻・口の各部が表示されていることを特徴とする。
【考案の効果】
【０００５】
第１考案によると、下部と後部とが開放された溝を有する布製頭部被覆体を備え、その布製頭部被覆体の後端縁部に沿って、カチューシャを布に包んで内蔵させた弾性縁材が逢着されて、カチューシャ内蔵の仮面体とされ、前記布製頭部被覆体の外表面側には、生き物の似顔が表示されているので、幼児または子供あるいは幼児または子供に教えるために大人が簡単に頭部前面に目を塞がない状態で被ることができると共に、カチューシャにより被った状態を簡単に保持することができ、仮面付きカチューシャを被ることにより、容易に変身した気分になって楽しむことが可能である。
例えば、サル、トラ、ゾウ、パンダ、キリン、ライオン等の動物風の仮面付きカチューシャとして、幼児あるいは子供が被って遊ぶこともでき、幼児あるいは子供が、頭部前面に装着することで、その動物に、容易に変身して、その動物になりきって遊んだり楽しむことが可能になる。また、動物園等において使用すると、一層楽しく動物を鑑賞することができる。また、野球等において、トラ風の仮面付きカチューシャを着用して、特定の球団チームを応援するようにすることも可能である。
また、本考案の仮面付きカチューシャは、動物ばかりでなく、布製頭部被覆体の前面側の形態を変えれば、ネコ、イヌ等の動物あるいは生物、鳥類、昆虫等、生き物全般に渡って適用することができる。また、構造も簡単であるので、安価に製作することができる。
また、第２考案では、第１考案の仮面付きカチューシャにおいて、前記頭部被覆体は、ほぼ１／４球殻状で、溝外側の外表面側の化粧布と、溝内側の布とを逢着して備え、前記溝は、子供または幼児の前頭部を収容するための溝であるので、子供または幼児の目の部分を塞がない状態で前頭部に容易に装着して変身して楽しむことができる。
第３考案では、第１または第２考案の仮面付きカチューシャにおいて、前記の布製頭部被覆体の外表面には、サル、トラ、ゾウ、パンダ、キリン、ライオン等の動物の似顔が表示されているので、これらの動物に、容易に変身して、その動物になりきって遊んで楽しむことが可能になる。
第４考案では、第１考案〜第３考案のいずれかの仮面付きカチューシャにおいて、前記の布製頭部被覆体の外表面には、１枚または複数枚の化粧布とこれらの外表面に、刺繍が施されて、目・鼻・口の各部が表示されているので、刺繍により簡単に各種動物の顔を表現することができ、製作も容易で安価に製作することもできる。
【考案を実施するための最良の形態】
【０００６】
次に、本考案を図示の実施形態に基づいて詳細に説明する。
【０００７】
図１〜図３は、本考案の第１実施形態の仮面付きカチューシャ１Ａを示し、図４は断面図を示し、図５は第１実施形態の仮面付きカチューシャ1Ａを、幼児あるいは子供２が、前頭部３に被った状態を示す斜視図である。
【０００８】
本考案の仮面付きカチューシャ１では、前頭部から頭頂部にかけて被るための布製頭部被覆体４を備えていると共に、その布製頭部被覆体４の後端部に、カチューシャと称される合成樹脂性の弾性湾曲体５をボア生地等の布で包むように内蔵した弾性縁材６の幅方向一側部の布縁部が逢着されて一体化されたカチューシャ内蔵の仮面体とされている。
【０００９】
前記の布製頭部被覆体４は、下部と後部とがほぼ半円状に開放された溝７を有し、幼児または子供の前頭部に装着した状態で、屈曲可能なほぼ１／４球殻状である。
【００１０】
前記の布製頭部被覆体４は、外表面側の布地として、ほぼ１／４球殻状に形付けられ、外表面側が適宜着色された毛模様のボア生地１２が使用され、手触り感をよくし、その内側には、ほぼ１／４球殻状に形付けられた無地の布地８が重合されて、下縁側縁部が逢着されて一体化されて、適度な立体保形性を有している。
【００１１】
合成樹脂性のカチューシャと称される弾性湾曲体５（以下、単にカチューシャとも言う）を、外表面側のボア生地と内側の無地の生地を逢着一体化して帯状包体９内に内蔵するようにした弾性縁材６は、前記の布製頭部被覆体４の後端部の縁部に沿って、カチューシャ５の両端部が下に中央部が上となる縦向きとなるように弾性縁材６の幅方向前端側が配置されて、前記の布製頭部被覆体４の後端部に沿って、弾性縁材６の幅方向前端側の縁部が、ほぼ半楕円状の耳部１１の基端部を挟んだ状態で、これらが逢着されて布製頭部被覆体４に一体化されている。
【００１２】
布製頭部被覆体４の頂部および弾性縁材６並びに耳部１１の縁部および耳部背面側の表面には、茶系のボア生地１２が配置され、布製頭部被覆体４の前部および耳部の前面側中央部には、クリーム色系のボア生地１２が配置され、また、前記クリーム色系のボア生地１２の外表面には、黒系糸または茶系糸あるいは白系糸等による刺繍により、黒丸地内に白丸を設けた目部１３と、茶色の丸状の鼻部１４と、前記鼻部１４から下側にハの字状に口部１５が、サル風にディフォルメされてそれぞれ刺繍で形成されて、サル風の仮面付きカチューシャ１Ａとされている。
【００１３】
この形態では、前記の布製頭部被覆体４は、１枚または複数枚のボア風生地を外表面に化粧布として使用され、その外表面に、刺繍が施されて、目・鼻・口の各部が表されて、サル風の仮面付きカチューシャ１Ａとされている。
【００１４】
前記のように弾性縁材６が布製頭部被覆体４の後端部の縁部に沿って縦向きに配設されていることにより、カチューシャ内蔵の仮面体は、全体的に立体の保形成を有している。また、カチューシャ５は、幼児または子供の頭部の外径よりも僅かに小さく湾曲した弾性湾曲体として製作されているため、装着時よりも小さくされた状態で、カチューシャ５部分を縦向きにした状態で展示可能にされている。
【００１５】
図６には、本考案の第２実施形態のトラ風の仮面付きカチューシャ１Ｂの斜視図が示され、図７には、前記のトラ風の仮面付きカチューシャ１Ｂを頭部に装着した状態が示されている。前記第１実施形態と基本的な構造は、同様であるので、相違する部分を主に説明する（以下の実施形態でも同様である）。
【００１６】
この形態では、布製頭部被覆体４の頂部および弾性縁材６並びに耳部１１の縁部および耳部背面側の表面には、黄色系のボア生地１２が配設され、布製頭部被覆体４の前面下部および耳部の前面側中央部には、白色系のボア生地１２が配設され、また、前記白色系のボア生地１２外表面には、刺繍により、頭部にトラ風縞模様１６が施され、また黒丸地内に白丸を設けた目部１３と、黒色の丸状の鼻部１４と、前記鼻部１４から下側にハの字状に口部１５が、トラ風にディフォルメされてそれぞれ刺繍により形成されて、トラ風の仮面付きカチューシャ１Ｂとされている。
【００１７】
この形態でも、前記の布製頭部被覆体４は、１枚または複数枚のボア風生地を化粧布として外表面に備え、その外表面に、刺繍が施されて、目・鼻・口の各部が表示されて、トラ風の仮面付きカチューシャ１Ｂとされている。
【００１８】
図８には、本考案の第３実施形態のキリン風の仮面付きカチューシャ１Ｃの斜視図が示されている。
【００１９】
この形態では、布製頭部被覆体４の頂部および弾性縁材６並びに耳部１１および頂部を除く角部１７には、黄色系のボア生地１２が配置され、また、黄色系のボア生地１２外表面には、刺繍により、黒丸地内に白丸を設けた目部１３と、茶色の丸状の鼻部１４と、前記鼻部１４から下側に口部１５が、キリン風にディフォルメされてそれぞれ形成され、また角頂部には茶色のボア生地が使用されて、キリン風の仮面付きカチューシャ１Ｃとされている。
【００２０】
この形態でも、前記の布製頭部被覆体４は、１枚または複数枚のボア風生地を化粧布として外表面に備え、その外表面に、刺繍が施されて、目・鼻・口の各部が表されて、キリン風の仮面付きカチューシャ１Ｃとされている。
【００２１】
図９には、本考案の第４実施形態のゾウ風の仮面付きカチューシャ１Ｄの斜視図が示されている。
【００２２】
この形態では、布製頭部被覆体４の頂部および弾性縁材６並びに耳部１１の縁部には、薄水色（系）のボア生地１２が配置され、布製頭部被覆体４の前部には、前方に突出するように鼻部１４が形成され、鼻部前端部および耳部の前面側中央部には、薄茶色風のボア生地が使用され、また、薄水色（系）のボア生地１２外表面には、刺繍により、黒丸地内に白丸を設けた目部１３と、突出した鼻部１４と、前記鼻部１４から下側に口部１５が、ゾウ風にディフォルメされてそれぞれ形成され、また角頂部には茶色のボア生地が使用されて、ゾウ風の仮面付きカチューシャ１Ｄとされている。
【００２３】
この形態でも、前記の布製頭部被覆体４は、１枚または複数枚のボア風生地を化粧布として外表面に備え、その外表面に、刺繍が施されて、目部１３が表示されて、ゾウ風の仮面付きカチューシャ１Ｄとされている。
【００２４】
図１０には、本考案の第５実施形態のライオン風の仮面付きカチューシャ１Ｅの斜視図が示されている。
【００２５】
この形態では、布製頭部被覆体４の頂部および弾性縁材６並びに耳部１１の縁部および耳部背面側の表面には、こげ茶系のボア生地１２が配置され、布製頭部被覆体４の前面下部および耳部の前面側中央部には、白色系のボア生地１２が配置され、また、頭部にライオン風のタテガミ１８としてボア風生地が布製頭部被覆体４の頂部と弾性縁材６との間に逢着されて設けられ、また前記白色系のボア生地１２外表面には、刺繍により、頬部に黒丸地内に白丸を設けた目部１３と、こげ茶色の丸状の鼻部と、前記鼻部１４から下側にハの字状に口部１５が、ライオン風にディフォルメされてそれぞれ刺繍により形成されて、ライオン風の仮面付きカチューシャ１Ｅとされている。
【００２６】
この形態でも、前記の布製頭部被覆体４は、１枚または複数枚のボア風生地を化粧布として外表面に備え、その外表面に、刺繍が施されて、目・鼻・口の各部が表されて、ライオン風の仮面付きカチューシャ１Ｅとされている。
【００２７】
図１１には、本考案の第６実施形態のパンダ風の仮面付きカチューシャ１（１Ｆ）の斜視図が示されている。
【００２８】
この形態では、布製頭部被覆体４の頂部および弾性縁材６の表面には、白系のボア生地１２が配置され、布製頭部被覆体４の左右頬部には、黒色系のボア生地１２が配置され、また、ボア風生地が布製頭部被覆体４の頂部と弾性縁材６との間に逢着されて設けられ、前記黒色系のボア生地１２外表面には、刺繍により、頬部に黒丸地内に白丸を設けた目部１３と、黒色の丸状の鼻部１４と、前記鼻部１４から下側にハの字状に口部１５が、パンダ風にディフォルメされてそれぞれ形成されて、パンダ風の仮面付きカチューシャ１Ｆとされている。
【００２９】
前記のようなサル、トラ、ゾウ、キリン、ライオン、パンダ等の動物風の仮面付きカチューシャ１（１Ａ〜１Ｆ）は、幼児あるいは子供２が被って遊ぶこともでき、図５あるいは図７に示すように、幼児あるいは子供２が、頭部の前部に装着することで、その動物に、容易に変身して、その動物になりきって遊んだり楽しむことが可能になる。また、動物園等において使用すると、一層楽しく動物を鑑賞することができる。また、野球等において、トラ風の仮面付きカチューシャ１Ｂを着用して、特定の球団チームを応援するようにすることも可能である。
【００３０】
前記実施形態に示すように、本考案の仮面付きカチューシャ１は、動物ばかりでなく、布製頭部被覆体４の前面側の形態を刺繍等により変えれば、ネコ、イヌ等の動物等の哺乳類、魚類等の生物、鳥類、昆虫等、生き物全般に渡って適用することができる。
【００３１】
なお、前記の内側の無地布あるいは外表面側のボア生地としては、各種の生地を使用することも可能であるが、例えば、ポリエステル繊維を用いた生地を使用するとよい。また、刺繍用糸としては、各種の糸を使用することも可能であるが、例えば、ポリエステル製糸を使用するとよい。
なお、ボア生地はその毛の長さを適宜選択することにより、各種の動物の外表面に近い風合いを表すことができる。
【図面の簡単な説明】
【００３２】
【図１】本考案の第１実施形態であるサル風の仮面付きカチューシャを示す斜視図である。
【図２】図１の正面図である。
【図３】図２の背面図である。
【図４】第１実施形態であるサル風の仮面付きカチューシャの断面図である。
【図５】本考案の第１実施形態のサル風の仮面付きカチューシャを頭部に装着した状態を示す斜視図である。
【図６】本考案の第２実施形態のトラ風の仮面付きカチューシャを示す斜視図である。
【図７】本考案の第２実施形態のトラ風の仮面付きカチューシャを頭部に装着した状態を示す斜視図である。
【図８】本考案の第３実施形態のキリン風の仮面付きカチューシャを示す斜視図である。
【図９】本考案の第４実施形態のゾウ風の仮面付きカチューシャを示す斜視図である。
【図１０】本考案の第５実施形態のライオン風の仮面付きカチューシャを示す斜視図である。
【図１１】本考案の第６実施形態のパンダ風の仮面付きカチューシャを示す斜視図である。
【符号の説明】
【００３３】
１  仮面付きカチューシャ
１Ａ  サル風の仮面付きカチューシャ
１Ｂ  トラ風の仮面付きカチューシャ
１Ｃ  キリン風の仮面付きカチューシャ
１Ｄ  ゾウ風の仮面付きカチューシャ
１Ｅ  ライオン風の仮面付きカチューシャ
１Ｆ  パンダ風の仮面付きカチューシャ
２  幼児あるいは子供
３  前頭部
４  布製頭部被覆体
５  弾性湾曲体（カチューシャ）
６  弾性縁材
７  溝
８  無地の布地
９  帯状包体
１１  耳部
１２  ボア生地
１３  目部
１４  鼻部
１５  口部
１６  トラ風縞模様
１７  角部
１８  タテガミ
【図１】
0003144275.tif 000003
【図２】
0003144275.tif 000004
【図３】
0003144275.tif 000005
【図４】
0003144275.tif 000006
【図５】
0003144275.tif 000007
【図６】
0003144275.tif 000008
【図７】
0003144275.tif 000009
【図８】
0003144275.tif 000010
【図９】
0003144275.tif 000011
【図１０】
0003144275.tif 000012
【図１１】
0003144275.tif 000013